(57)【特許請求の範囲】
【請求項１】
型マット材上に型枠を設け、この型枠内に成形材料を流し込んで養生硬化させた後、脱型することによって、型マット材による模様を表面に賦形する外壁パネルの製造方法であって、
正方形ブロック模様を賦形する正方形ブロック賦形部と、
この正方形ブロック模様を略二つ組み合わせた大きさに相当する長方形ブロック模様を賦形する長方形ブロック賦形部と、
これら正方形ブロック模様と長方形ブロック模様との間を区切る縦目地および横目地を賦形する目地賦形部と、
幅方向に最小モジュール幅に相当する間隔で設けられ、長手方向に平行して直線状に連通するモジュール目地を賦形するモジュール目地賦形部とを具備し、
縦目地および横目地を賦形する目地賦形部と、モジュール目地を賦形するモジュール目地賦形部とを、同じ目地の太さとなるように形成するとともに、長方形ブロック賦形部を、型マットの幅方向および長手方向に散在させた型マット材を用い、
モジュール目地以外の正方形ブロック模様、長方形ブロック模様、縦目地および横目地を、不規則な配列で散在させて賦形することを特徴とする外壁パネルの製造方法。
【請求項２】
最小モジュール幅に相当する幅で幅方向に分割され、長手方向には階段状に分割されてなる複数枚の型材を、幅方向および長手方向にそれぞれ組み合わせた型マット材を用いる請求項１記載の外壁パネルの製造方法。
【請求項３】
平滑模様賦形部、斜め４５度の斜模様賦形部、斜め１３５度の斜模様賦形部を、正方形ブロック賦形部および長方形ブロック賦形部に任意に設けた型マット材を用いる請求項１または２記載の外壁パネルの製造方法。
【発明の詳細な説明】
【０００１】
【発明の属する技術分野】
本発明は、キャスティング成形によって製造される外壁パネルの製造方法に関するものである。
【０００２】
【従来の技術】
一般に、型マット材上に型枠を設け、この型枠内に成形材料を流し込んで養生硬化させた後、脱型することによって、表面に型マット材の模様を賦形する外壁パネルの製造方法が知られている。
【０００３】
この場合、住宅建物の建築に必要な外壁パネルとしては、最小モジュール幅を２５０ｍｍとした場合、この２５０ｍｍ幅の外壁パネルから、この２５０ｍｍの倍数に相当する５００ｍｍ幅、７５０ｍｍ幅、１０００ｍｍ幅などの複数種類の幅の外壁パネルが必要になるが、それぞれの外壁パネルを別の型枠で製造しようとした場合、多くの型枠が必要になってしまう。
【０００４】
そこで、従来より、このような型マット材を用いた外壁パネルの製造方法において、外壁パネルの表面に、外壁パネルの表面模様とともに、最小モジュール幅に相当する間隔で長手方向に沿って直線状に連通するモジュール目地を形成しておくことが行われている。
【０００５】
この場合、例えば、１０００ｍｍ幅の外壁パネルを製造しておけば、他の２５０ｍｍ幅、５００ｍｍ幅、７５０ｍｍ幅の外壁パネルについては、所望のモジュール目地に沿って切断すれば、それぞれ必要な幅の外壁パネルを得ることができることとなる。
【０００６】
【発明が解決しようとする課題】
しかし、上記従来の外壁パネルの製造方法のように、モジュール目地を形成できるようになされた型マット材を使用して外壁パネルを製造した場合、表面模様のデザインの中にモジュール目地のデザインが入ることとなるため、表面模様のデザインとモジュール目地のデザインとがマッチしないような時には、成形された外壁パネルは、モジュール目地が目立ってしまうこととなる。
【０００７】
そのため、モジュール目地と同等の横目地を設けて格子状の表面模様を形成することが行われているが、この場合、単調な表面模様の外壁パネルしか成形できないといった不都合を生じることとなる。
【０００８】
本発明は、係る実情に鑑みてなされたものであって、モジュール目地を目立たせることなく、深みや厚みのある意匠性に優れた外壁パネルを製造する方法を提供することを目的としている。
【０００９】
【課題を解決するための手段】
上記課題を解決するための本発明の外壁パネルの製造方法は、型マット材上に型枠を設け、この型枠内に成形材料を流し込んで養生硬化させた後、脱型することによって、型マット材による模様を表面に賦形する外壁パネルの製造方法であって、正方形ブロック模様を賦形する正方形ブロック賦形部と、この正方形ブロック模様を略二つ組み合わせた大きさに相当する長方形ブロック模様を賦形する長方形ブロック賦形部と、これら正方形ブロック模様と長方形ブロック模様との間を区切る縦目地および横目地を賦形する目地賦形部と、幅方向に最小モジュール幅に相当する間隔で設けられ、長手方向に平行して直線状に連通するモジュール目地を賦形するモジュール目地賦形部とを具備し、縦目地および横目地を賦形する目地賦形部と、モジュール目地を賦形するモジュール目地賦形部とを、同じ目地の太さとなるように形成するとともに、長方形ブロック賦形部を、型マットの幅方向および長手方向に散在させた型マット材を用い、モジュール目地以外の正方形ブロック模様、長方形ブロック模様、縦目地および横目地を、不規則な配列で散在させて賦形するものである。
【００１０】
この構成により製造される外壁パネルは、長方形ブロック模様が、縦方向または横方向に任意な配列で散在し、これら長方形ブロック模様間を埋めるように正方形ブロック模様も外壁パネルの表面全体に任意な配列で散在することとなり、しかも、これら長方形ブロック模様と正方形ブロック模様との間には、正方形ブロック模様の一辺の長さの倍数に相当する任意の長さで外壁パネルの表面全体にモジュール目地と同じ目地の太さの縦目地および横目地が形成されることとなる。したがって、目の錯覚によりモジュール目地が目立たないようになる。
【００１１】
また、上記外壁パネルの製造方法において、最小モジュール幅に相当する幅で幅方向に分割され、長手方向には階段状に分割されてなる複数枚の型材を、幅方向および長手方向にそれぞれ組み合わせた型マット材を用いるものである。
【００１２】
この構成により、型材の組み合わせを変更することで、長方形ブロック模様と正方形ブロック模様との配列が異なった複数種類の外壁パネルを製造できることとなる。
【００１３】
さらに、上記外壁パネルの製造方法において、平滑模様賦形部、斜め４５度の斜模様賦形部、斜め１３５度の斜模様賦形部を、正方形ブロック賦形部および長方形ブロック賦形部に任意に設けた型マット材を用いるものである。
【００１４】
この構成により、外壁パネルの表面には、縦横の模様のみならず、斜めの要素も加わり、より深みが得られることとなる。
【００１５】
【発明の実施の形態】
以下、本発明の実施の形態を図面を参照して説明する。
【００１６】
図１は本発明の外壁パネル１を製造する型マット材２の概略を示し、図２は同型マット材２を用いた外壁パネル１の製造工程を示し、図３は同型マット材２によって表面に模様１０が付与された外壁パネル１を示している。
【００１７】
すなわち、この外壁パネル１の製造方法は、型マット材２上に型枠２０を設け、この型枠２０内に成形材料１ａを流し込んで養生硬化させた後、脱型することによって、表面に型マット材２による模様１０を賦形する外壁パネル１の製造方法であって、正方形ブロック賦形部２１と、長方形ブロック賦形部２２と、縦目地賦形部２３と、横目地賦形部２４と、モジュール目地賦形部２５とを具備する型マット材２を用いて、モジュール目地１５を除く、正方形ブロック模様１１、長方形ブロック模様１２、縦目地１３および横目地１４を、不規則な配列で散在させて賦形するものである。
【００１８】
成形材料１ａは、通常の外壁パネル１の製造に使用されているものであれば、特に限定されるものではなく、例えば、レジンコンクリート、セラミックスコンクリート、アスファルトコンクリートなどを含む各種成形材料が使用される。
【００１９】
型マット材２は、幅方向Ｗに約１０００ｍｍ、長手方向Ｌに約３０００ｍｍの大きさに形成されている。
【００２０】
型枠２０は、型マット材２の長手方向Ｌに沿った両側に設けられる縦枠２０ａ、２０ａと、縦枠２０ａに対して直交する方向で、これら縦枠２０ａ、２０ａ間の型マット材２上に設けられる下枠２０ｂおよび上枠２０ｃとによって構成されている。この型枠２０は、縦枠２０ａ、２０ａによって、幅は約１０００ｍｍに固定されているが、長手方向Ｌの長さについては、上枠２０ｃおよび下枠２０ｄを、型マット材２の表面の範囲内で所望の間隔に設定して型枠２０ａ、２０ａに固定することで、調整できるようになされている。
【００２１】
正方形ブロック賦形部２１は、型マット材２の表面に、約６０ｍｍ角の正方形状に凹設されて形成されている。この正方形ブロック賦形部２１は、外壁パネル１の表面に、正方形状に突出した正方形ブロック模様１１を形成するようになされている。
【００２２】
長方形ブロック賦形部２２は、型マット材２の表面に、上記正方形ブロック賦形部２１を略二つ組み合わせた大きさに相当する約６０ｍｍ×１２０ｍｍの長方形状に凹設されて形成されている。この長方形ブロック賦形部２２は、型マット材２の幅方向Ｗおよび長手方向Ｌに沿って設けられる。この長方形ブロック賦形部２２は、外壁パネル１の表面に、長方形状に突出した長方形ブロック模様１２を形成するようになされている。
【００２３】
縦目地賦形部２３および横目地賦形部２４は、型マット材２の表面に、上辺が約８ｍｍ幅となる断面台形状に凸設され、上記した正方形ブロック賦形部２１と長方形ブロック賦形部２２との間を仕切るように設けられている。この縦目地賦形部２３および横目地賦形部２４は、外壁パネル１の表面に、約８ｍｍの溝底となされた縦目地１３および横目地１４を形成するようになされている。
【００２４】
モジュール目地賦形部２５は、型マット材２の表面に、上辺が約８ｍｍ幅となる断面台形状に凸設され、型マット材２の幅方向に２５０ｍｍ間隔で長手方向Ｌに平行して、この長手方向Ｌ全体に連通する直線状に設けられている。このモジュール目地賦形部２５は、外壁パネル１の表面に、約８ｍｍの溝底となされたモジュール目地１５を形成するようになされている。
【００２５】
このようにして構成される型マット材２は、正方形ブロック賦形部２１と長方形ブロック賦形部２２とが、型マット材２の表面に不規則な配列で散在し、これら正方形ブロック賦形部２１と長方形ブロック賦形部２２との間には、正方形ブロック賦形部２１の一辺の長さの任意の倍数に相当する長さで、縦目地賦形部２３および横目地賦形部２４が散在するように設けられる。
【００２６】
したがって、この型マット材２を用いて成形した外壁パネル１は、幅方向Ｗに約２５０ｍｍ間隔で長手方向Ｌに平行するモジュール目地１５が、外壁パネル１の長手方向Ｌに連通する直線状に設けられることとなるが、縦目地１３および横目地１４は、不規則な長さで外壁パネル１の表面全体に散在することとなり、正方形ブロック模様１１および長方形ブロック模様１２も、不規則に配列された状態で散在することとなる。
【００２７】
そのため、外壁パネル１のモジュール目地１５を目立たなくすることができ、外壁パネル１の表面の模様１０も、モジュール目地１５によって区切られたようになってしまわない。また、外壁パネル１を住宅建物に施工した状態でも、隣接する外壁パネル１間の目地についても目立たなくすることができ、壁面全体を一体化した外壁のように見せることができる。さらに、それぞれ散在する正方形ブロック模様１１、長方形ブロック模様１２、縦目地１３、横目地１４によって、表面の模様１０が単調になるのが防止され、深みと厚みのある意匠性に優れた外壁パネル１とすることができる。
【００２８】
なお、本実施の形態において、型マット材２は、一枚ものとなされているが、図４および図５に示すように、複数種類の型材２ａ〜２ｈを幅方向Ｗおよび長手方向Ｌにそれぞれ複数枚組み合わせるものであってもよい。
【００２９】
この場合、各型材２ａ〜２ｈは、外壁パネル１の最小モジュール幅に相当する約２５０ｍｍの幅を越えてしまうと、幅方向Ｗに組み合わせた際に、これらの型材２ａ〜２ｈに形成された長方形ブロック賦形部２１や横目地賦形部２４が、モジュール目地賦形部２５を遮断してしまうこととなるので、型材２ａ〜２ｈは、外壁パネル１の最小モジュール幅に相当する約２５０ｍｍの幅で形成されたものが用いられる。また、長手方向Ｌに沿って組み合わされる型材２ａ〜２ｈ同士は、組み合わせた状態で、横目地賦形部２４が型マット材２の幅方向Ｗの全体に渡って連通してしまうと、上記モジュール目地賦形部２５と合わさって単調な格子状の目地となってしまうこととなるので、長手方向Ｌに隣接する型材２ａ〜２ｈ同士は、階段状に組み合わされるようになされたものが使用される。
【００３０】
このように複数種類の型材２ａ〜２ｈを複数枚組み合わせた型マット材２を用いて外壁パネル１を形成する場合、それぞれ異なった種類の型材２ａ〜２ｈを自由に組み合わせて型マット材２の模様を変更することができるので、複数種類の外壁パネル１を形成することができる。
【００３１】
また、本実施の形態において、型マット材２の正方形ブロック賦形部２１および長方形ブロック賦形部２２は、単に矩形状に凹設されているだけの平滑面であるが、図６に示すように、この正方形ブロック賦形部２１および長方形ブロック賦形部２２は、凹設された平滑面の部分に、模様を賦形するための斜模様賦形部２６、２７がさらに形成されていてもよい。
【００３２】
この場合、型マット材２によって形成される外壁パネル１の表面の模様１０自体が、幅方向Ｗおよび長手方向Ｌの二方向に限定されたものであるため、図６（ａ）および（ｂ）に示すように、これら幅方向Ｗおよび長手方向Ｌと直交する斜め４５度の方向性を持つ斜模様を賦形することができるようになされた斜模様賦形部２６や、図６（ｃ）および（ｄ）に示すように、斜め１３５度の方向性を持つ斜模様を賦形することができるようになされた斜模様賦形部２７を有するものを使用することが最も好ましい。これらの斜模様賦形部２６、２７は、上記したような方向性を持つ斜模様を賦形することができるようになされたものであれば、その具体的な模様は、特に限定されるものではなく、単に凹凸模様で斜めの方向性を有する模様を出すものであってもよいし、木端積み模様や割り石模様などを斜めにして方向性を有する模様を出すようにしたものなどであってもよい。また、このような斜めの方向性を有する模様を賦形するものでなくても、氷割れ調、梨子地調などの方向性を持たない模様を賦形するようになされたものであってもよい。
【００３３】
このような斜模様賦形部２６、２７を有する型マット材２を用いて外壁パネル１を成形することにより、外壁パネル１の表面の模様１０に、より一層の深み感や厚み感が生まれることとなる。
【００３４】
【発明の効果】
以上述べたように、本発明によると、モジュール目地を目立たせることなく、深みや厚みのある意匠性に優れた外壁パネルを製造することができる。
【図面の簡単な説明】
【図１】（ａ）は本発明に係る外壁パネルの製造方法に使用される型マット材の全体構成の概略を示す平面図、（ｂ）は同図（ａ）における斜線部の部分拡大図、（ｃ）は同図（ｂ）におけるI-I 線断面図である。
【図２】（ａ）ないし（ｃ）は本発明に係る外壁パネルの製造方法の製造工程を説明する工程図である。
【図３】（ａ）は図１に示す型マット材によって製造された外壁パネルの全体構成の概略を示す平面図、（ｂ）は同図（ａ）における斜線部の部分拡大図、（ｃ）は同図（ｂ）におけるII-II 線断面図である。
【図４】型マット材の他の実施の形態を示す平面図である。
【図５】（ａ）ないし（ｈ）は、図４に示す型マット材を形成する各種型材を示す平面図である。
【図６】（ａ）ないし（ｄ）は型マット材に設けられた正方形ブロック賦形部および長方形ブロック賦形部の他の実施の形態を説明する平面図である。
【符号の説明】
１  外壁パネル
１ａ  成形材料
１０  模様
１１  正方形ブロック模様
１２  長方形ブロック模様
１３  縦目地
１４  横目地
１５  モジュール目地
２  型マット材
２ａ  型材
２ｂ  型材
２ｃ  型材
２ｄ  型材
２ｅ  型材
２ｆ  型材
２ｇ  型材
２ｈ  型材
２０  型枠
２１  正方形ブロック賦形部
２２  長方形ブロック賦形部
２３  縦目地賦形部
２４  横目地賦形部
２５  モジュール目地賦形部
２６  斜模様賦形部
２７  斜模様賦形部
Ｗ  幅方向
Ｌ  長手方向
【図１】
0004056789.tif 000002
【図２】
0004056789.tif 000003
【図３】
0004056789.tif 000004
【図４】
0004056789.tif 000005
【図５】
0004056789.tif 000006
【図６】
0004056789.tif 000007